(57)【要約】【課題】蓄電池ユニット内の温度上昇を抑えることを課題とする。【解決手段】蓄電池と、該蓄電池を収納する筐体と、筐体の背面に設けられた吸気口、筐体の両側面に設けられた排気口、該筐体内の排気口近傍に設けられた複数のファン、該筐体内に設けられ、温度を測定する複数の温度測定部材、ファンの制御を行う制御部、を備え、制御部は、前記複数の温度測定部材の温度測定結果に基づいて、前記複数のファンのうちのいずれのファンを駆動するかを決定することを特徴とする。【選択図】図１０
2013089317.tif 000002
【特許請求の範囲】
【請求項１】
蓄電池と、
該蓄電池を収納する筐体と、
筐体の背面に設けられた吸気口、
筐体の両側面に設けられた排気口、
該筐体内の排気口近傍に設けられた複数のファン、
該筐体内に設けられ、温度を測定する複数の温度測定部材、
ファンの制御を行う制御部、を備え、
制御部は、前記複数の温度測定部材の温度測定結果に基づいて、前記複数のファンのうちのいずれのファンを駆動するかを決定することを特徴とする、蓄電池ユニット。
【請求項２】
請求項１記載の蓄電池ユニットを備える表示システムであって、更に
太陽電池と、
表示装置と、を備え、
該蓄電池ユニットは、太陽電池の発電量と表示装置の消費電力に応じて、太陽電池の発電電力を蓄電池と表示装置に供給すべき割合を制御する第２制御部を更に備えることを特徴とする、表示システム。
【発明の詳細な説明】
【技術分野】
【０００１】
本発明は、蓄電池ユニットを備えた表示システムに関する。特に太陽電池及び商用電力により駆動される表示装置を備えた表示システムに関する。
【背景技術】
【０００２】
近年、デジタルサイネージと呼ばれる、屋外等に配置され、広告や様々な情報を表示する大型の表示装置が普及しつつある（特許文献１、２など）。
【先行技術文献】
【特許文献】
【０００３】
【特許文献１】特開２００９−２９４２８４号公報
【特許文献２】特開２００９−２９６１０５号公報
【発明の概要】
【発明が解決しようとする課題】
【０００４】
また、出願人は、太陽電池を備えた表示システムをデジタルサイネージ用に開発中である（例えば、特願２０１０−１４７７７５（２０１０年６月３日出願）、特願２０１０−２６６３３３（２０１０年１１月３０日出願））。このシステムでは、表示装置（大型モニタ）の上部に太陽電池を設け、表示装置と太陽電池が一体化した構成となっている。また、該システムでは、昼間に太陽電池で発電した電力を夜間に利用できるよう、蓄電池ユニットも搭載している。この蓄電池ユニットでは、ケース内の中に蓄電池の他、蓄電池からの直流電力を交流電力に変換するインバータを収納している。
【０００５】
しかし、インバータの発熱などにより、ケース内の温度が上昇し、その結果、蓄電池の保障温度を超えてしまう場合がある。ケースで熱がこもることを防ぐために、インバータや蓄電池をケース外に配備することも考えられるが、防塵の観点からは好ましくない。そこで、本発明は、上述した問題を解決することを目的とする。
【課題を解決するための手段】
【０００６】
本発明の蓄電池ユニットは、蓄電池と、該蓄電池を収納する筐体と、筐体の背面に設けられた吸気口、筐体の両側面に設けられた排気口、該筐体内の排気口近傍に設けられた複数のファン、該筐体内に設けられ、温度を測定する複数の温度測定部材、ファンの制御を行う制御部、を備え、制御部は、前記複数の温度測定部材の温度測定結果に基づいて、前記複数のファンのうちのいずれのファンを駆動するかを決定することを特徴とする。
【０００７】
本発明の表示システムは、上記の蓄電池ユニットに加えて、太陽電池と、表示装置と、を備え、該蓄電池ユニットは、太陽電池の発電量と表示装置の消費電力に応じて、太陽電池の発電電力を蓄電池と表示装置に供給すべき割合を制御する第２制御部を更に備えることを特徴とする。
【発明の効果】
【０００８】
本発明によれば、蓄電池ユニット内の温度上昇を抑えることができる。
【図面の簡単な説明】
【０００９】
【図１】表示システム１００を示す図である。
【図２】蓄電池ユニット１０の前方斜視図である。
【図３】蓄電池ユニット１０の後方斜視図である。
【図４】前方扉２１を開いた時の蓄電池ユニット１０の前方斜視図である。
【図５】後方蓋２２を外した時の蓄電池ユニット１０の後方斜視図である。
【図６】後方蓋２２を外した時の蓄電池ユニット１０の後方斜視図である。
【図７】蓄電池ユニット１０の側方図である。
【図８】側方蓋２７Ｌを外した時の蓄電池ユニット１０の側面図である。
【図９】蓄電池ユニット１０のケース２０内部の冷却の模式図である。
【図１０】蓄電池ユニット１０の冷却に関する制御ブロック図である。
【図１１】他の態様に係る蓄電池ユニット８０の構成の模式図である。
【発明を実施するための形態】
【００１０】
（第１の実施形態）
先ず図１は、表示システム１００を示す図である。表示システム１００は、太陽電池ユニット１、表示装置２、及び蓄電池ユニット１０を備える。表示装置２は、収納ボックス４００内に収納される。太陽電池ユニット１は、その上部に太陽光パネルを有しており、この太陽光パネルを支柱で支える構造となっている。なお、太陽光パネルは図１の三角柱部分の斜面（表示装置とは反対側の斜面）に配備され、同図では隠れる位置に配備される。
【００１１】
表示装置２は、情報を表示するディスプレイで構成され、典型的には液晶パネルを備えたＬＣＤディスプレイである。この表示装置２は、屋外配置に備えるべく、防水、防塵、耐熱対策が施されている。また、ユーザからの入力を受け付けるためのタッチパネルを表示パネルの前面側に備えていても良い。
【００１２】
蓄電池ユニット１０は、太陽電池ユニット１の太陽電池で発電された電力を蓄電する蓄電池を有している。よって、この表示システム１００では、例えば昼間は太陽電池で発電した電力を使って表示装置２を駆動しつつ、その余剰電力を蓄電池に蓄え、太陽電池による発電できない夜間は蓄電池に蓄えられた電力を使って表示装置２を駆動することができる。
【００１３】
なお、図１で示すように、太陽電池ユニット１、表示装置２は屋外や公共場所に配置することが想定され、蓄電池ユニット１０は屋内の非公共場所に配置されることが測定される。例えば、太陽電池ユニット１、表示装置２は公園内や、駅、建物のホールなどに配備される。一方、蓄電池ユニット１０は、屋内であって、一般の人々が通常立ち入りできないような施設管理者が管理するスペースなどに配備される。したがって、蓄電池ユニット１０は、太陽電池ユニット１及び表示装置２から離れた位置に配置されることとなるので、蓄電池ユニット１０と太陽電池ユニット１、表示装置２の間は電力線や制御のための通信線が敷設されることとなる。
【００１４】
また、日照時間が短く太陽電池ユニット１が十分に発電できない状態が続く場合や、表示装置２の消費電力が大きい状態が続く場合、蓄電池ユニット１０の蓄電池に蓄えられた電力だけでは賄えない場合もありうる。そこで、この表示システム１００は、必要に応じて商用電力からの電力を利用することもできる構成となっている。
【００１５】
図２は、蓄電池ユニット１０の前方斜視図である。蓄電池ユニット１０は蓄電池３１（後述の図６等参照）などを収納するケース（筐体）２０を備える。ケース２０の前面には前方扉２１、前方扉２１に設けられた鍵穴２３がある。前方扉２１は、その下辺側を軸に開閉可能になっている。また、鍵穴２３は、前方扉２１の開閉を制限するためのものである。また、ケース２０下面の四隅近傍には、蓄電池ユニット１０を移動容易にするためのキャスター４１がそれぞれ備わっている。特にメンテナンス作業等で蓄電池ユニット１０を移動させる必要がある場合に有益である。また、ケース２０の側面には排気口２７（同図では右側面の排気口ということで排気口２７Ｒとしている）、及び蓋２８Ｒを備えている。この排気口２７の内側には排気用のファン５１が配備される（後述の図８、９を参照）。
【００１６】
図３は、蓄電池ユニット１０の後方斜視図である。ケース２０の背面には後方蓋２２がある。この後方蓋２２には、前方扉と同様、鍵穴２３が設けられる。更に、後方蓋には、左右一対の吸気口２４（Ｌ、Ｒ）、コンセント２５、端子部２６が備わっている。コンセント２５は、商用電力を入力する目的ではなく、逆に、蓄電池ユニット１０から他の装置に電源を供給する目的で設けられたものである。
【００１７】
また、端子部２６は、太陽電池ユニット１からの電力を入力するための電源端子、表示装置２に対し制御信号を伝送するための（或いは、表示装置２からの信号を受け取るための）通信線（ＲＳ２３２−Ｃ、ＲＳ−４８５方式のものなど）が接続される通信用端子、照度センサの検出信号を入力するためのセンサ入力端子などを備えている。また、端子部２６に接続される通信線を使って、ユニット１０内の蓄電状態などの情報を表示装置２へ伝送し、これを表示装置２の画面上に表示させることもできる。なお、上述のＲＳ−４８５方式のインタフェースによれば、１キロメートル離れた地点間の通信も可能であるので、これにより、表示装置２、太陽電池ユニット１、及び蓄電池ユニット１０の設置の自由度が増す。
【００１８】
上記の照度センサは、太陽光が照射しているかどうかを測定するためのものである。この検知結果は、蓄電池ユニット１０のバッテリ（蓄電池）制御に活用される。なお、照度センサを使わなくても太陽電池の出力電流をモニタリングすることで、太陽電池の発電状況を知ることも可能である。しかし、そのためには電流モニタ用の回路を別途設ける必要があるので、回路規模が大型化／複雑化する。むしろ、照度センサの出力に基づいて太陽電池の発電状況を検知する方が、簡便な構成・方式で実現できるので、本表示システム１００では照度センサを採用している。
【００１９】
なお、本実施形態の蓄電池ユニット１０は屋内に設置することを想定しているため、特段の防水対策は施されていない。しかし、埃が内部に侵入することは好ましくないため、防塵対策の為、準密閉構造としている。即ち、ケース２０内外の換気（通気）は、吸気口２４及び排気口２７のみを通して行う構成としている。
【００２０】
なお、図２、図３から分かるように、蓄電池ユニット１０では、ケース２０の両側面（左右の側面に排気口２７が設けられている。即ち、蓄電池ユニット１０はケース２０の背面側から吸気し、両側面から排気を行うことにより、ケース２０内の換気（冷却）を行う構成となっている。背面側に吸気口を設けているのは、この蓄電池ユニット１０は、背面を壁側にして設置されることが想定されるためであり、熱風が排出される排気口を背面側に設けるのはでは適切ではないからである。
【００２１】
図４は、前方扉２１を開いた時の蓄電池ユニット１０の前方斜視図である。同図に示すように、蓄電池ユニット１０のケース２０の内部には、左右のラック（棚）に蓄電池３１Ａ〜Ｃ、保護ユニット３２、ＰＭＵ３３などが収納される。
【００２２】
図５及び図６は、後方蓋２２を外した時の蓄電池ユニット１０の後方斜視図である。同図に示すように、蓄電池ユニット１０のケース２０の内部には、２つのラックに蓄電池３１Ａ〜Ｃ、保護ユニット３２、ＰＭＵ３３に加え、更にインバータ３４、ＡＣ／ＤＣ（交流／直流）変換回路３５、ファン制御ＡＣ／ＤＣ変換回路３６が収納されている。
【００２３】
図６で示すように（背面から見て）右側のラックには、下から順に蓄電池３１Ｂ、３１Ａ、そして一段空けて、最上段にはインバータ３４が配備される。インバータ３４が最上段に配備されるのは、インバータ３４の発熱量が蓄電池３１の発熱量と比して大きいからである。仮に、発熱量の大きいインバータ３４を蓄電池３１の下方に配備すると、熱は上方に伝わるという自然法則の性質から、インバータ３４の熱により蓄電池３１が過熱してしまう。そこで、蓄電池ユニット１０ではインバータ３４を上側に収納しているのである。
【００２４】
また、右側のラックにおいて蓄電池３１Ａとインバータ３４の間を一段空けているのは、自然法則によれば熱は上方に伝わるのであるが、ケース２０の上側が閉じているため、熱の一部はインバータ３４の下側にも伝わる。この熱により蓄電池３１が過熱するのを防ぐために、一段空けて蓄電池３１を配置しているのである。
【００２５】
次に、蓄電池ユニット１０内に収納される各構成部材の機能等を説明する。蓄電池３１Ａ〜Ｃは、例えばリチウムイオン電池である。保護ユニット３２は、蓄電池３１の過充電、過放電を検知すると蓄電池３１を電力ラインから遮断して蓄電池３１を保護する等の機能を有する。ＰＭＵ（Power Management Unit）３３は、太陽電池ユニット１からの電力及び商用電力のいずれか一方からの電力を蓄電池３１に充電させる制御を行ったりする。インバータ３４は、蓄電池３１に充電された電力（直流）を交流電力に変換して外部機器（例えば、表示装置２など）へ出力する。ＡＣ／ＤＣ変換回路３５は、交流である商用電力を蓄電池３１に充電させるために直流に変換する。ファン制御ＡＣ／ＤＣ変換回路３６は、ファン５１の回転制御を行う。
【００２６】
例えば、太陽電池ユニット１で発電された電力（直流）は、まずＰＭＵ３３に入力され、保護ユニット３２を経て蓄電池３１に充電される。一方、商用電力（交流）は、ＡＣ／ＤＣ変換回路３５で直流に変換されてからＰＭＵ３３に入力され、保護ユニット３２を経て蓄電池３１に充電される。また、蓄電池３１に充電された電力は、保護ユニット３２、インバータ３４を経て表示装置２に供給される。
【００２７】
なお、ＰＭＵ３３は、太陽電池ユニット１からの電力又はＡＣ／ＤＣ変換回路３５からの電力のいずれかを選択的に入力するための第１スイッチ（又はスイッチ群）、保護ユニット３２へ電力を保護ユニット３２へ入力させるか否かを切り替える第２スイッチ、保護ユニット３２又はＡＣ／ＤＣ変換回路３５からの電力のいずれかを選択的にインバータ３４へ供給するための第３スイッチなども備えており、これらのスイッチは太陽電池ユニット１の発電状況、蓄電池３１の充電状況、表示装置２の稼働状況に応じて適宜制御される。なお、この制御動作に関しては、本出願人による他の特許出願に詳述している。これらのスイッチ切り替えにより、例えば、日常的に夜間電力を充電しておき、昼間の電力ピーク時にタイマーで供給し、ピーク時電力の削減、料金の削減に使用することができる。
【００２８】
蓄電池ユニット１０で、ケース２０の前面側の前方扉２１が下辺を軸に開閉可能となっているのに対し、ケース２０の後方蓋２２が着脱可能となっているのは、蓄電池３１等の部材をケース２０内に挿入する作業を容易化する目的である。蓄電池３１は、比較的重量が大きい。仮に図４のように前方扉２１が下方で開いた状態だと、作業員が蓄電池３１をケース内に挿入する際、開いた状態の前方扉２１の前方に足場を置く必要があり、腕を大きく伸ばした状態で蓄電池３１を保持するか、あるいは腰を前かがみにしないと蓄電池３１をケース２０内に収納することができない。そこで、図５、６に示すように後方蓋２２は、ケース２０に対して着脱可能な構成としている。そうすれば、作業員は、足場をケース２０の近くに置くことができるので、手を伸ばしたり腰を大きく屈めたりしなくても蓄電池３１をケース２０内に収納したり、あるいはケース２０から取り外したりすることができる。換言すれば、この蓄電池ユニット１０では、ケース２０の背面側から蓄電池３１等の部材を取り外しできるよう、ケース２０内のラックは設計されている。
【００２９】
また、蓄電池ユニット１０は、設置やメンテナンスを容易化すべく、前面、背面を扉で構成した、ほぼ直方体のシンプルな箱型（ボックス）筐体としており、底部にキャスターを装備している。また、設置スペースを有効利用できるよう、いわゆるローボードスタイルとしており、上面を平坦なフリースペースとしている。
【００３０】
図７は、蓄電池ユニット１０の側面図である。同図に示すように蓄電池ユニット１０のケース２０の側面には排気口２７が設けられる。この排気口２７は、（比較的サイズの大きな）ゴミの侵入等を防ぐべく、多数の小孔が網目状に設けられた態様になっている。なお、図７は、右方から見た側面図であるが、ケース２０の左側面にも同様に排気口２７が設けられる。
【００３１】
図７は、蓄電池ユニット１０の側面図である。同図に示すように蓄電池ユニット１０のケース２０の側面には排気口２８が設けられる。この排気口２８は、（比較的サイズの大きな）ゴミの侵入等を防ぐべく、多数の小孔が網目状に設けられた態様になっている。なお、図７は、左方から見た側面図であるが、ケース２０の右側面にも同様に排気口２８が設けられる。なお、同図では、排気口２８Ｌとしているが、これは左(Left)側面に設けられた排気口２８という意図で符号を付したものである。
【００３２】
図８は、（図７の）側方蓋２７Ｌを外した時の蓄電池ユニット１０の側面図である。同図に示すように排気口２８Ｌの内側には３つの排気用ファン５１Ａ〜Ｃが上から順に配備される。なお、同様に、ケース２０の右側面にも取り外し可能な側方蓋２７Ｒ（不図示）があり、また排気口２７Ｒの内側には３つの排気ファン５１Ｄ〜Ｆ（不図示）が配備される。
【００３３】
図９は、蓄電池ユニット１０のケース２０内部の冷却の模式図である。なお、同図は蓄電池ユニット１０を背面側から見たと仮定した場合の各部材の配置を簡易的に記したものである。ケース２０の左側面に配備されるファン５１Ａ〜Ｃが同図では右側に示されるのはこの理由による。以下、左右に関しては図９内での表示を基準とする。
【００３４】
ファン５１Ａ〜Ｃは、ファン５１Ａ、Ｂ、Ｃの順に上から配備される。ファン５１Ａは、インバータ３４の右下の位置に配置される。ファン５１Ｂは、蓄電池３１Ａの右上に配置される。ファン５１Ｃは、蓄電池３１Ａの右下、蓄電池３１Ｂの右上に配置される。即ち、ファン５１Ｃは、蓄電池３１Ａ、３１Ｂの間の空間に風が流れるように配置される。ファン５１Ｂは、蓄電池３１Ａの上側を風が流れるように配置される。ファン５１Ａは、インバータ３４の下側を風が流れるように配置される。
【００３５】
ファン５１Ｄ〜Ｆは、ファン５１Ｄ、Ｅ、Ｆの順に上から配備される。ファン５１Ｄは、ファン制御ＡＣ／ＤＣ変換回路３６の左下、ＰＭＵ３３の左上の位置に配置される。ファン５１Ｅは、ＰＭＵ３３の左下、保護ユニット３２の左上に配置される。ファン５１Ｆは、保護ユニット３２の左下、蓄電池３１Ｃの左上に配置される。即ち、ファン５１Ｄは、ファン制御ＡＣ／ＤＣ変換回路３６（或いはＡＣ／ＤＣ変換回路３５）とＰＭＵ３３の間の空間に風が流れるように配置される。ファン５１Ｅは、ＰＭＵ３３と保護ユニット３２の間の空間を風が流れるように配置される。ファン５１Ｆは、保護ユニット３２と蓄電池３１Ｃの間の空間を風が流れるように配置される。
【００３６】
更に、ケース２０の内部には温度を測定するセンサとして機能するサーミスタ６１Ａ〜Ｇが配備される。一例として、サーミスタ６１Ａ、Ｂ、Ｃはそれぞれ、インバータ３４、蓄電池３１Ａ、Ｂの近傍に配備される。サーミスタ６１Ｄ〜Ｇはそれぞれ、ファン制御ＡＣ／ＤＣ変換回路３６、ＰＭＵ３３、保護ユニット３２、蓄電池３１Ｃの近傍に配備される。詳細は後述するが、蓄電池ユニット１０では、各サーミスタ６１で検出された温度に応じて選択的にファン５１を駆動させる。
【００３７】
図１０は、蓄電池ユニット１０の回路ブロック図である。本図は特に冷却制御に着目して記述したブロック図である。実際には、蓄電池ユニット１０は、電力の供給制御など、その他の諸々の制御も行うのであるが、これらに関してはここでは言及しないこととする。
【００３８】
ファン制御ＡＣ／ＤＣ変換回路３６は、ファン５１Ａ〜Ｆを駆動させる。これらのファンを駆動させるためには、当然ながらファン制御ＡＣ／ＤＣ変換回路３６に電力を供給する必要があるが、この電力はインバータ３４から交流電力の形で供給される。既に述べたが、このインバータ３４は、表示装置２にも電力を供給するものであり、蓄電池３１等からの直流電力を交流に変換するものである。同図では、太陽電池ユニット１やＡＣ／ＤＣ変換回路３５からの電力が保護回路３２に直接入力されるかごとく示されているが、実際にはＰＭＵ３３を経由して保護回路３２に入力されるようにしても良い。
【００３９】
また、ファン制御ＡＣ／ＤＣ変換回路３６は、各サーミスタ６１の温度検出結果に応じてファン５１Ａ〜Ｆのうちのいずれかを選択的に駆動するような制御も行う。例としては以下の制御を行う。
（１）蓄電池３１の動作保障温度の上限が４０℃であることに鑑み、例えば蓄電池３１Ａの近傍に配備されるサーミスタ６１Ｂで検出された温度が、例えば３５℃程度になった場合は、ファン５１Ｂ及び５１ＣをＯＮにして、蓄電池３１Ａの上側及び下側に風を流すことにより冷却を行う。
（２）インバータ３４の温度が上昇し、サーミスタ６１Ａの検出温度が高い場合はファン５１Ａを駆動させ、インバータ３４の下側に風を流すことで冷却を行う。
（３）蓄電池ユニット１０を設置する場所（部屋）自体の温度が高く、全てのサーミスタ６１の検出温度が高い場合（例えば３５℃以上の場合）は、全てのファン５１を駆動させる。
（４）サーミスタ６１Ｃ、６１Ｇにより、蓄電池３１Ｂ及び３１Ｃの近傍の温度が高いと検出された場合は、ファン５１Ｃ、５１Ｆを駆動させる。
（５）また、サーミスタ６１Ｃにより、蓄電池３１Ｂ近傍の温度は高いが、サーミスタ６１Ｇにより、蓄電池３１Ｃ近傍の温度は高くないと検出された場合（例えば、蓄電池３１Ｂのみが動作していて、蓄電池３１Ｃは動作していない場合とか、ケース２０の右側の環境温度が高い場合など）、原則的にはファン５１Ｃのみを駆動させればよい。但し、ファン５１Ｃ、５１Ｆをペアで駆動させた方が、蓄電池３１Ｂ上方の風速を向上させることができると考えられるので、蓄電池３１Ｃの温度が高くなくても、蓄電池３１Ｃ側のファン５１Ｆも駆動させても良い。
【００４０】
上記の（１）〜（５）の制御はＰＭＵ３３内のＣＰＵに記憶された制御プログラム等に基づいて実行される。
【００４１】
上記のように、蓄電池ユニット１０では、発熱部位に応じて選択的にファンを駆動させるので、ファンによる消費電力を低減しつつ、ケース２０内の適切な冷却を行うことができる。
【００４２】
また、ファンは単なるオン／オフ制御だけでなく、回転速度を段階的に変更させるような制御としても良い。
【００４３】
（第２の実施形態）
第１実施形態の蓄電池ユニット１０は、ケース２０内部に２つのラック（収納部）があり、各々のラックに各部材が収納される構成であるが、これに代えて、図１１に示す蓄電池ユニット８０ように一つのラックに各部材を収容する構成、いわゆるタワー型の構成としても良い。タワー型の構成とすることで、蓄電池ユニットの設置床面積を減らすことができ（単純には、蓄電池ユニット１０の凡そ半分とできる）、省スペース化を図ることができる。
【００４４】
図１１に示すように、蓄電池ユニット８０内の収納ラックには、下から順に蓄電池２１Ａ、３１Ｂ、３１Ｃ、保護ユニット３２、ＰＭＵ３３、インバータ３４が収納される。また各部材の左右にはサーミスタ６１、ファン５１が配備される。インバータ３４を一番上に配備しているのは、第１実施形態の蓄電池ユニット１０と同様、インバータ３４の発熱量が蓄電池３１等と比して大きいからである。
【００４５】
蓄電池ユニット８０では、蓄電池ユニット１０と同様、発熱部位に応じて選択的にファン５１が駆動される。例えば、インバータ３４近傍の温度が高いと、サーミスタ６１が検出したとき、一対のファン５１Ａ、Ｆが駆動される。
【００４６】
本構成によれば、いわゆるタワー型構成としているので、設置スペースの節約が図れる他、ケースの左右側面間の距離を、蓄電池ユニット１０よりも小さくでき、左右一対のファン間の距離が短くなる。従い、蓄電池ユニット１０と同性能のファンを同じ回転速度で駆動させた場合でも風速を高くすることができるので、冷却効率を向上させることもできる。
【００４７】
以上、本発明における実施の形態について説明したが、本発明の範囲はこれに限定されるものではなく、発明の主旨を逸脱しない範囲で種々の変更を加えて実行することができる。
【００４８】
上記では蓄電池ユニットは、表示装置に電力を供給するものとして記述したが、他のものに供給するものでも良い。更には表示装置２のような特定の装置のみならず。例えば家庭や建物に電力を供給するための制御を行うユニットとして利用されるものも本願発明の範疇に含まれるものとする。
【００４９】
また、蓄電池ユニットの利用態様として、昼間は太陽電池で発電した電力を表示装置の駆動と蓄電池への充電に使用し、夜間は蓄電池の電力を使って表示装置を駆動する例を示したが、これ以外の利用態様もある。例えば、電灯線（商用系統）や太陽電池などの外部発電装置からケース内に内蔵される高容量の２次電池（蓄電池）に一旦充電し、災害なので突然停電になった場合に、一定時間（他の装置に）給電できるユニットとしての利用することもできる。
【図１】
2013089317.tif 000003
【図２】
2013089317.tif 000004
【図３】
2013089317.tif 000005
【図４】
2013089317.tif 000006
【図５】
2013089317.tif 000007
【図６】
2013089317.tif 000008
【図７】
2013089317.tif 000009
【図８】
2013089317.tif 000010
【図９】
2013089317.tif 000011
【図１０】
2013089317.tif 000012
【図１１】
2013089317.tif 000013